(57)【要約】【課題】ノブに軸交差方向の外力が加わったときの使用者の保護を図り得るばかりでなく、再利用ができる操作装置を提供する。【解決手段】ノブ１に軸交差方向の外力が加わったとき、ノブ１側と軸２側との斜面部９，１２が摺接して爪部１３と穴部８との係合が解除されることにより、軸２からノブ１が外れるので、使用者がノブ１に衝止されることがなく保護ができる。そして、外れたノブ１は、爪部１３と穴部８とを再係合させることにより、軸２に再連結でき、再利用ができる。【選択図】図１
2013045628.tif 000002
【特許請求の範囲】
【請求項１】
回転操作されるノブと、
このノブにより回転が伝えられる軸とを具備し、
それらノブと軸との一方側に爪部を形成し、他方側にその爪が弾性係合する穴部を形成して、それらの係合によりノブを軸に連結すると共に、
前記ノブ側と軸側との少なくともいずれか一方側に斜面部を形成し、他方側にその斜面部に接触する接触部を形成して、前記ノブに軸交差方向の外力が加わったときに、前記斜面部と接触部とが摺接して前記爪部と穴部との係合が解除され、軸からノブが外れるようにしたことを特徴とする操作装置。
【請求項２】
斜面部と接触部とが、軸からノブが外れる方向において、爪部と穴部との係合部分と同一の軸心上に位置することを特徴とする請求項１記載の操作装置。
【発明の詳細な説明】
【技術分野】
【０００１】
本発明は、軸をノブにより回転操作する操作装置に関する。
【背景技術】
【０００２】
従来より、例えば自動車など車両においては、軸をノブにより回転操作する各種の操作装置が具えられており、この操作装置では、ノブが操作のためにパネル面等から外方に突出しており、中でも横置きコンソールボックス等に設置されるものでは、ノブがボックスの水平状の上面等から上方に突出している。
そして、そのものにおいては、ノブに軸交差方向（横方向）の外力が加わったとき、使用者保護のため、ノブあるいは操作装置の全体が脱絡するようにしたものが供されている。
【先行技術文献】
【特許文献】
【０００３】
【特許文献１】実開昭６４−１３５２８号公報
【発明の概要】
【発明が解決しようとする課題】
【０００４】
しかしながら、上述のようにしたものの場合、脱落したノブあるいは操作装置の全体が再利用できず、操作装置全体として交換せざるを得ないという問題点を有していた。
【０００５】
本発明は上述の事情に鑑みてなされたものであり、従ってその目的は、ノブに軸交差方向の外力が加わったときの使用者の保護を図り得るばかりでなく、再利用ができる操作装置を提供するにある。
【課題を解決するための手段】
【０００６】
上記目的を達成するために、本発明の操作装置は、回転操作されるノブと、このノブにより回転が伝えられる軸とを具備し、それらノブと軸との一方側に爪部を形成し、他方側にその爪が弾性係合する穴部を形成して、それらの係合によりノブを軸に連結すると共に、前記ノブ側と軸側との少なくともいずれか一方側に斜面部を形成し、他方側にその斜面部に接触する接触部を形成して、前記ノブに軸交差方向の外力が加わったときに、前記斜面部と接触部とが摺接して前記爪部と穴部との係合が解除され、軸からノブが外れるようにしたことを特徴とする（請求項１の発明）。
【発明の効果】
【０００７】
上記手段によれば、ノブに軸交差方向の外力が加わったとき、ノブ側と軸側の、斜面部と接触部とが摺接して爪部と穴部との係合が解除されることにより、軸からノブが外れるので、使用者がノブに衝止されることがなく保護ができる。そして、外れたノブは、爪部と穴部とを再係合させることにより、軸に再連結でき、再利用ができる。
【図面の簡単な説明】
【０００８】
【図１】本発明の一実施例を示す通常状態の縦断正面図
【図２】通常状態の縦断側面図
【図３】外力Ｆが加わったときの縦断正面図
【図４】外力Ｆが加わったときの縦断側面図
【発明を実施するための形態】
【０００９】
以下、本発明の一実施例（一実施形態）につき、図面を参照して説明する。
まず、図１及び図２には、操作装置の全体を通常状態で示しており、上側にノブ１が存在し、下側に軸２が存在している。軸２は円柱状のもので、装置ケース３の上部に形成した凹部４から下方の装置ケース３内に向けて開通した孔５に挿通され、装置ケース３内の図示しない回転対象物を回転させるようになっている。
【００１０】
軸２には又、上方に受動部６を一体に形成しており、この受動部６は、軸２上に立て板状のノブ取付部７を有し、このノブ取付部７に、穴部８を形成すると共に、斜面部９を形成している。この場合、穴部８は、ノブ取付部７を軸２の軸方向と交差する方向（図１で紙面と直交する前後方向、図２で左右方向）に貫通しており、斜面部９は、穴部８上に位置して図１で右下がり状を成している。そして、受動部６のノブ取付部７周りには、外形が円形でノブ取付部７を囲繞する囲い部１０を形成している。
【００１１】
一方、ノブ１は、この場合、截頭円錐状を成すもので、下部に授動ピース１１を埋設しており、この授動ピース１１には、下面部に上記軸２側の斜面部９と対応する斜面部１２を形成している。又、この授動ピース１１には、斜面部１２の両側に上記軸２側の穴部８と対応する爪部１３を形成しており、この爪部１３を穴部８に弾性係合させて、ノブ１を授動ピース１１及び受動部６を介して軸２に連結しており、同時に斜面部１２を斜面部９に接触、この場合、面接触させている。
なお、装置ケース３上には、前記凹部４に対応して孔１４を有するカバー１５を装着している。
【００１２】
次に、上記構成のものの作用を述べる。
ノブ１を使用者がつまんで回転操作をする。すると、その回転が爪部１３と穴部８との係合構造を介して軸２に伝えられ、軸２が回転することによって、装置ケース３内の回転対象物が回転される。
【００１３】
このように操作される状況において、今、ノブ１に軸２の軸方向と交差する方向（軸交差方向）の外力が図３に矢印Ｆで示すように加わると、軸２側の斜面部９に対しノブ１側の斜面部１２が摺接しつつ、接触したそれら斜面部１２，９による反力Ｐの分力Ｐ1，Ｐ2のうちのノブ１側への分力Ｐ1によって、ノブ１が軸２から離間する方向に変位され、それにより爪部１３が図４にも示すように穴部８との係合を解除されて該穴部８から離脱する。かくして、ノブ１が軸２から外れ、使用者の保護をする。すなわち、外れないままのノブ１に使用者が衝突することが避けられる。
【００１４】
なお、図１に示すように、組立て状態において接触したノブ１側の斜面部１２と軸２側の斜面部９は、軸２からノブ１が上述のように外れる方向において、爪部１３と穴部８との係合部分と同一の軸心Ｏ上（軸２の軸心の延長上）に位置しており、それによって、上述の外力によるノブ１の軸２からの外れをより確実に行わしめることができる。
【００１５】
そして、外れたノブ１は、その後、ノブ１を上方より軸２に向けて進め、爪部１３を穴部８に再係合させることによって、軸２に再連結でき、もって再利用（ノブ１から軸２、更には装置ケース３内の回転対象物への操作回転の伝達）ができる。
【００１６】
このように上記構成のものにおいては、ノブ１に軸交差方向の外力が加わったときの使用者の保護を図り得るばかりでなく、再利用ができるものである。
【００１７】
なお、爪部１３と穴部８については、爪部１３を軸２側に設け、穴部８をノブ１側に設けるようにしても良い。
又、斜面部９，１２については、そのうちの一方がそのまま斜面部であり、他方はその斜面部に接触する接触部であれば良いもので、必ずしも斜面部である必要はなく（斜面部以外の形状であっても良く）、上記実施例においても、斜面部９，１２の一方はそのまま斜面部として機能し、他方はその斜面部に接触する接触部として機能している。
そのほか、本発明は上記し且つ図面に示した実施例にのみ限定されるものではなく、要旨を逸脱しない範囲内で適宜変更して実施し得る。
【符号の説明】
【００１８】
図面中、１はノブ、２は軸、８は穴部、９，１２は斜面部（接触部）、１３は爪部を示す。
【図１】
2013045628.tif 000003
【図２】
2013045628.tif 000004
【図３】
2013045628.tif 000005
【図４】
2013045628.tif 000006